(57)【特許請求の範囲】
【請求項１】
植物が植えられると共に微生物が繁殖可能な土壌と、
前記土壌を収容する周壁部と底壁部とを有する土壌用容器と、
前記土壌の底部に汚染空気を導く空気通路と、
汚染空気を吸い込み前記空気通路に汚染空気を供給する空気流動手段と、
前記空気流動手段を収容する空気流動手段用容器とを備え、
前記土壌用容器は幅に対して大きな寸法の長さを有する平面視長方形に形成され、
前記土壌用容器は長さ方向が直線状となるように並べられて２つ設けられ、
前記空気流動手段用容器はそれら２つの土壌用容器の間に並べて設けられ、
前記空気流動手段により前記空気通路を介して両側の土壌用容器内の土壌の底部に汚染空気が供給されるように構成されている、
ことを特徴とする空気浄化装置。
【発明の詳細な説明】
【０００１】
【産業上の利用分野】
本発明は、特に、車の排気ガスによる汚染空気を浄化する場合に好適な空気浄化装置に関する。
【０００２】
【従来の技術】
車から排出される排気ガスは、一酸化炭素、窒素酸化物、粉塵等の汚染物質を多量に含んでおり、多数の車が通過したり出入りする場所、例えば、幹線道路や駐車場、或は、車が渋滞するような交差点やデパートの周辺等では排気ガスにより大気が汚染される。
従来、このように多数の車が通過したり出入りする場所には、排気ガスで汚染された空気を浄化する装置が設置されていない。
【０００３】
【発明が解決しようとする課題】
これは、従来のフィルター式の空気浄化機器を単に設置したのでは、道路や駐車場、或は交差点やデパートの周辺の美観を損なう等の問題があるためである。
本発明はこのような事情に鑑み案出されたものであって、本発明の目的は、美観を損なうことなく、多数の車が通過したり出入りする場所に設置できる空気浄化装置を提供することにある。
【０００４】
【課題を解決するための手段】
前記目的を達成するため本発明は、植物が植えられると共に微生物が繁殖可能な土壌と、前記土壌を収容する周壁部と底壁部とを有する土壌用容器と、前記土壌の底部に汚染空気を導く空気通路と、汚染空気を吸い込み前記空気通路に汚染空気を供給する空気流動手段と、前記空気流動手段を収容する空気流動手段用容器とを備え、前記土壌用容器は幅に対して大きな寸法の長さを有する平面視長方形に形成され、前記土壌用容器は長さ方向が直線状となるように並べられて２つ設けられ、前記空気流動手段用容器はそれら２つの土壌用容器の間に並べて設けられ、前記空気流動手段により前記空気通路を介して両側の土壌用容器内の土壌の底部に汚染空気が供給されるように構成されていることを特徴とする。
【０００５】
【実施例】
以下、本発明の実施例を添付図面に従って説明する。
図１は空気浄化装置の斜視図、図２は使用状態の正面図、図３は空気浄化装置の断面側面図を示す。
１は空気浄化装置で、この実施例では、空気浄化装置１は道路と地下駐車場とを接続するスロープＳの側部に沿って多数設けられている。
空気浄化装置１は、植物２が植えられる土壌３と、前記土壌３を収容する容器５（土壌用容器に相当）と、前記土壌３の底部に汚染空気を導く孔開きパイプ７（空気通路に相当）と、汚染空気を吸い込み前記孔開きパイプ７に汚染空気を供給する送風機９（空気流動手段に相当）と、この送風機９が収容されたケース１１（空気流動手段用容器に相当）等を備える。
【０００６】
前記土壌３には微生物が繁殖できるような土、例えば、黒土等をベースとしてパーライト等を混合し、空隙率を高めて構成されている。
土壌３の底部には砕石等からなるれき層３０１が設けられ、前記孔開きパイプ７はこのれき層３０１に埋設されている。
【０００７】
前記容器５は平面視長方形状を呈し、四つの側面部５０１と、これら側面部５０１の下端に架設された底面部５０３等を備える。
前記植物２及び土壌３が収容された容器５と、送風機９が収容されたケース１１は共に移動可能で、容器５は長手方向に並べて二つ配置され、これら容器５の間に前記ケース１１が配置されている。
【０００８】
ケース１１の幅及び高さは容器５と同一に形成され、容器５の正面の上部には汚染空気の吸込口１１０１が開口されている。
前記送風機９はファン（不図示）が内設されたケース本体９０１と、このケース本体９０１から突設された吸込管９０３と、二つの排出管９０５を備え、吸込管９０３の先端は前記吸込口１１０１に連結され、二つの排出管９０５は対応する各孔開きパイプ７に連結され、この実施例では植物２が植えられた二つの容器５と送風機９が収容された一つのケース１１とがユニット化されている。
【０００９】
図１において１３は車が通過したか否かを検出するセンサで、センサ１３により車が通過されたことが確認された時、例えば、前記送風機９が所定の時間駆動されるように構成されている。
図２において１５は、太陽電池の一部を構成するソーラーパネルで、実施例では、太陽電池で発生する電気エネルギにより送風機９を回転駆動させるようにしている。
【００１０】
尚、容器５の底面の四隅には、封水トラップ式の水抜き部が形成され、容器５内に所定量以上の水が侵入した時、水を逃がすと共に、水抜き部から浄化されない空気が逃げないようにしている。
【００１１】
次に、作用について説明する。
車がスロープＳを通過すると、車が通過したことがセンサ１３により検出され、送風機９が回転駆動される。
送風機９が回転駆動されると、排気ガスにより汚染された汚染空気は、吸込口１１０１、吸込管９０３から吸い込まれ、二つの排出管９０５から夫々対応する孔開きパイプ７に供給される。
そして、汚染空気はれき層３０１から土壌３の底部に至り、土壌３を通って土壌３の表面から大気に戻される。
【００１２】
空気が土壌３を通過する際、土壌３のフィルターとしての物理的な作用により粉塵の捕捉や、メタン等の炭化水素ガス等の不純成分の吸着が行なわれる。
また、微生物により不純成分等、汚染物質の分解が行なわれる。
土壌３の表面や、或は土壌３の内部で空気が流動する部分には、好気性微生物が繁殖し、土壌３の内部で空気が流動しない部分には、嫌気性微生物が繁殖し、これら微生物の菌体内で消費されたり、呼吸で使われる等することで、例えば、一酸化炭素は主に二酸化炭素に変化され、一酸化窒素は主に硝酸イオンに変化され、メタンガスは主に二酸化炭素と水に分解され、このように汚染物質が除去される。
そして、汚染物質が除去された清浄な空気が、土壌３を通って植物２の間の土壌３の表面から大気に戻される。
【００１３】
このように本実施例に係る空気浄化装置１によれば、植物２を植えた土壌３を利用して汚染空気の浄化を行なうようにしたので、浄化機器を設置するのではなくあたかも植木や花壇を設置することになり、従って、スロープＳやその付近の美観を損なうことなく空気浄化装置１を設置できる。
【００１４】
尚、植物２の入れ換えや、土の入れ換えは任意であり、特に、植物２の入れ換えを行なうと美観を高める上でも有利となる。
また、送風機９は実施例のように太陽エネルギを利用して駆動してもよく、或は商用電源等を用いて駆動してもよい。
また、空気通路を実施例では孔開きパイプ７で構成した場合について説明したが、空気通路は例えば、底面部５０３の下方に該底面部５０３の面積に対応した面積で仕切った空間部で構成してもよく、要するに、土壌３の底部に汚染空気が供給できる構造であればよい。
【００１５】
また、実施例では、送風機９が収容されたケース１１を容器５の側部に配置した場合について説明したが、容器５とケース１１を一体化してもよく、或は容器５の下部等に送風機収容用の空間部を確保し、この空間部に送風機９を収容するようにしてもよく、或は、容器５とは離れた箇所に送風機９を配置してもよく、この場合には送風機９と土壌３の底部を接続する空気通路が長くなる。
また、本発明に係る空気浄化装置１が設置される場所は室内外を問わず無論任意であるが、室外に配置する場所として実施例の他に、幹線道路の中央分離帯や、駐車場、或は車が渋滞するような交差点やデパート付近の歩道の側部等が挙げられる。
更に、実施例では、汚染空気を土壌３の底部から表面に向けて通過させ、清浄な空気を土壌３の表面から大気に戻すようにしたが、この空気の流れを逆にすることは無論可能である。即ち、ケース１１の内部に送風機９の代わりに吸引ポンプ等を配置し、汚染空気を土壌３の表面から底部に向けて吸い込み、土壌３を通過した清浄な空気をケース１１から大気に戻すようにしてもよい。
【００１６】
【発明の効果】
以上の説明で明らかなように本発明に係る空気浄化装置によれば、植物を植えた土壌を利用して空気の浄化を行なうようにしたので、あたかも植木や花壇を設置する如く空気浄化装置を設置でき、従って美観を損ねることもなく、特に、多数の車が通過したり出入りする場所に設置されて好適である。
【図面の簡単な説明】
【図１】空気浄化装置の斜視図である。
【図２】空気浄化装置の使用状態の正面図である。
【図３】空気浄化装置の断面側面図である。
【符号の説明】
１  空気浄化装置
２  植物
３  土壌
５  容器
７  孔開きパイプ
９  送風機
１１  ケース
【図１】
0003561805.tif 000002
【図２】
0003561805.tif 000003
【図３】
0003561805.tif 000004